(57)【特許請求の範囲】
【請求項１】
アドレス情報及び同期をとるためのビット同期パターン及びセクタの切れ目を示すワード同期パターンを所定の規則にしたがって位相変調した周波数成分でウォブリングしたデータ記録用トラックが形成されている光ディスクにデータの記録及び再生を行う光ディスク装置のアドレス情報再生回路において、
上記データ記録用トラックのウォブリング成分を抽出して位相復調する位相復調回路と、
位相復調結果を並列データに変換するシフトレジスタと、
シフトレジスタで変換した並列データに対して所定の規則に従ってエラーを検出・訂正するエラー検出・訂正回路と、
１ウォブル毎にカウントアップし、位相復調結果からビット同期パターンの検出によって所定の値にプリセットされる第１のカウンタと、
第１のカウンタのキャリーによってカウントアップし、位相復調結果からワード同期パターンの検出によって所定の値にプリセットされる第２のカウンタと、
第１のカウンタのキャリーによってカウント開始し、１ウォブル毎にカウントアップする第３のカウンタとを有し、
上記第２のカウンタが０から１にカウントアップするタイミングでセクタの切れ目を示す同期信号を作成し、
該同期信号によりエラー検出・訂正回路にエラー訂正を開始させ、
上記位相復調回路は、位相変調期間の所定期間を反転したのち、位相変調期間を通して積分し復調する回路であって、
上記第３のカウンタ値をデコードすることで、上記位相復調回路の所定反転期間と全位相変調期間と、位相復調結果を並列データに変換する前記シフトレジスタのシフトタイミング、とを作成する、
ことを特徴とする、光ディスク装置アドレス情報再生回路。
【請求項２】
上記第１のカウンタで数えて所定の時間間隔で連続してビット同期パターンが検出されている第１の状態と、所定の時間間隔で連続してビット同期パターンが検出されていない第２の状態とを区別する手段を有し、
第１の状態では、所定のタイミングでビット同期パターンを検出したときのみ、上記第１のカウンタに所定の値をプリセットすることを特徴とする、
請求項１に記載の光ディスク装置アドレス情報再生回路。
【請求項３】
所定の時間間隔で、第１の回数分、連続してビット同期パターンが検出されたとき上記第１の状態に遷移する手段と、
所定の時間間隔で、第２の回数分、連続してビット同期パターンが検出されないとき上記第１の状態から第２の状態に遷移する手段とを有し、
上記の第１の回数と第２の回数とは、それぞれ所定のレジスタに設定されることを特徴とする、
請求項２に記載の光ディスク装置アドレス情報再生回路。
【請求項４】
上記の第１の回数及び第２の回数が、
データリード動作中における値と、データライト動作中における値とに分けて設定されており、
その分けて設定されている上記の第１の回数及び第２の回数が、夫々の動作中に自動的に利用されることを特徴とする、
請求項３に記載の光ディスク装置アドレス情報再生回路。
【請求項５】
上記の所定のタイミングが、所定のタイミングを中心とした範囲幅として設定され、
その範囲幅がレジスタにより設定されることを特徴とする、
請求項２に記載の光ディスク装置アドレス情報再生回路。
【請求項６】
上記所定のタイミングの範囲幅が、
シーク動作直後における値と、シーク動作後所定の時間経過後における値とで分けて設定されており、その分けて設定されている値が自動的に利用されることを特徴とする、
請求項５に記載の光ディスク装置アドレス情報再生回路。
【請求項７】
上記第２のカウンタで数えて所定の時間間隔で連続してワード同期パターンが検出されている第３の状態と、所定の時間間隔で連続してワード同期パターンが検出されていない第４の状態とを区別する手段を有し、
第３の状態では、所定のタイミングでワード同期パターンを検出したときのみ、上記の第２のカウンタに所定の値をプリセットすることを特徴とする、
請求項２に記載の光ディスク装置のアドレス情報再生回路。
【請求項８】
所定の時間間隔で、第３の回数分、連続してワード同期パターンが検出されたとき上記第３の状態に遷移する手段と、
所定の時間間隔で、第４の回数分、連続してワード同期パターンが検出されないとき上記第３の状態から第４の状態に遷移する手段とを有し、
上記の第３の回数と第４の回数とは、それぞれ所定のレジスタに設定されることを特徴とする、
請求項７に記載の光ディスク装置アドレス情報再生回路。
【請求項９】
ワード同期パターンを検出するための確認パターンを複数有し、
上記第１の状態における検出確認動作にて利用される確認パターンと、上記第２の状態における検出確認動作にて利用される確認パターンとが、異なることを特徴とする、
請求項７に記載の光ディスク装置アドレス情報再生回路。
【請求項１０】
請求項１乃至請求項９のうちのいずれか一に記載の光ディスク装置アドレス情報再生回路を利用する、光ディスク記録再生装置。
【発明の詳細な説明】
【０００１】
【発明の属する技術分野】
本発明は、ＤＶＤ＋ＲＷ方式の光ディスクに対して、データ記録を行う光ディスクドライブ装置のアドレス情報再生回路に関する。
【０００２】
【従来の技術】
光ディスク、光磁気ディスク又は磁気ディスク等の情報記録媒体においては、画像情報等の記録情報の記録時における位置検索等に必要なアドレス情報、同期信号又はウォブリング信号等といった、情報記録媒体の回転制御に用いられる回転制御情報等で構成されるプリ情報が、あらかじめ記録されている。該プリ情報に基づいて記録情報が追記可能な記録媒体として、コンパクトディスク（ＣＤ：Ｃｏｍｐａｃｔ  Ｄｉｓｋ）と同程度の記録容量を備えた光ディスクであるＣＤ−Ｒ（ＣＤ−Ｒｅｃｏｒｄａｂｌｅ）が知られている。
【０００３】
該ＣＤ‐Ｒでは、製造時のプリフォーマットの段階であらかじめ記録情報を記録する情報トラック（グルーブトラック又はランドトラック）を、記録すべきプリ情報をあらかじめＦＭ（Ｆｒｅｑｕｅｎｃｙ  Ｍｏｄｕｌａｔｉｏｎ）変調した信号に対する周波数で波型にウォブリングさせることによって、プリ情報を記録している。また、従来のＣＤ‐Ｒに記録情報を記録する際には、ウォブリングされているトラックのウォブリング周波数を検出し、該検出したウォブリング周波数に基づいてＣＤ‐Ｒを回転制御するための基準クロックを抽出する。更に、該抽出した基準クロックに基づいてＣＤ‐Ｒを回転させるスピンドルモータの回転制御を行うための駆動信号を生成すると共に、ＣＤ‐Ｒの回転に同期したタイミング情報を含む記録用クロック信号を生成している。
【０００４】
また、ＣＤ‐Ｒでは、記録情報の記録時に必要なＣＤ‐Ｒ上のアドレスを示す上記アドレス情報については、記録情報の記録時に上記プリ情報を再生し、該再生したプリ情報に基づいて記録すべき位置を検出し、該検出した位置に記録情報を記録している。
【０００５】
一方、近年、従来のＣＤ等よりも記録密度を飛躍的に向上させたＤＶＤ（Ｄｉｇｉｔａｌ  Ｖｉｄｅｏ  Ｄｉｓｋ又はＤｉｇｉｔａｌ  Ｖｅｒｓａｔｉｌｅ  Ｄｉｓｋ）のような高密度記録媒体が実用化されている。該ＤＶＤに代表される種々の高密度記録媒体の内、追記可能なＷＯ（Ｗｒｉｔｅ  Ｏｎｃｅ）型の記録媒体であるＤＶＤ−Ｒ（ＤＶＤ−Ｒｅｃｏｒｄａｂｌｅ）及びＤＶＤ＋ＲＷ（ＤＶＤ＋Ｒｅｗｒｉｔａｂｌｅ）においては、情報トラック（例えば、グルーブトラック）を上記基準クロックに基づいた周波数でウォブリングさせている。
【０００６】
ここで、特に、ＤＶＤ+ＲＷ方式の光ディスクにおいては、ＡＤＩＰ（Ａｄｄｒｅｓｓ  ｉｎ  Ｐｒｅ−ｇｒｏｏｖｅ）と呼ばれるアドレス情報が、記録メディア上に予めプリフォーマットされていることがある。この光ディスクにおいてデータを記録する場合には、このＡＤＩＰを再生してアドレス情報を把握し、そのアドレス情報を利用して適切なアドレス位置からデータが書き込まれる。ここでのＡＤＩＰのアドレス情報は、ＣＤ−Ｒ／ＲＷ方式の光ディスクにおけるＡＴＩＰ（Ａｂｓｏｌｕｔｅ  Ｔｉｍｅ  Ｉｎ  Ｐｒｅ−ｇｒｏｏｖｅ）と呼ばれるアドレス情報と、同様の機能を果たすことになる。
【０００７】
しかし、そもそもＡＤＩＰの変調方式及び物理フォーマットは、ＡＴＩＰのそれらとは全く異なる。従って、ＡＴＩＰの変調に係る方式や回路を、そのままＡＤＩＰの再生処理において利用するというわけにはいかない。
【０００８】
特に昨今、ＤＶＤ+ＲＷ方式におけるＡＤＩＰのアドレス情報を、迅速且つ正確に再生する仕組みの構築が要望されている。
【０００９】
【発明が解決しようとする課題】
本発明は、ＤＶＤ＋ＲＷ方式で採用されているＡＤＩＰのアドレス情報の、信頼性の高い再生回路を提供することを目的とする。
【００１０】
【課題を解決するための手段】
本発明は、上記の目的を達成するためになされたものである。本発明に係る請求項１に記載の光ディスク装置アドレス情報再生回路は、
アドレス情報及び同期をとるためのビット同期パターン及びセクタの切れ目を示すワード同期パターンを所定の規則にしたがって位相変調した周波数成分でウォブリングしたデータ記録用トラックが形成されている光ディスクにデータの記録及び再生を行う光ディスク装置のアドレス情報再生回路において、
上記データ記録用トラックのウォブリング成分を抽出して位相復調する位相復調回路と、
位相復調結果を並列データに変換するシフトレジスタと、
シフトレジスタで変換した並列データに対して所定の規則に従ってエラーを検出・訂正するエラー検出・訂正回路と、
１ウォブル毎にカウントアップし、位相復調結果からビット同期パターンの検出によって所定の値にプリセットされる第１のカウンタと、
第１のカウンタのキャリーによってカウントアップし、位相復調結果からワード同期パターンの検出によって所定の値にプリセットされる第２のカウンタと、
第１のカウンタのキャリーによってカウント開始し、１ウォブル毎にカウントアップする第３のカウンタとを有し、
上記第２のカウンタが０から１にカウントアップするタイミングでセクタの切れ目を示す同期信号を作成し、
該同期信号によりエラー検出・訂正回路にエラー訂正を開始させ、
前記位相復調回路は、位相変調期間の所定期間を反転したのち、位相変調期間を通して積分し復調する回路であって、
上記第３のカウンタ値をデコードすることで、上記位相復調回路の所定反転期間と全位相変調期間と、位相復調結果を並列データに変換する前記シフトレジスタのシフトタイミング、とを作成する、
ことを特徴とする、光ディスク装置アドレス情報再生回路である。
【００１１】
本発明に係る請求項２に記載の光ディスク装置アドレス情報再生回路は、
上記第１のカウンタで数えて所定の時間間隔で連続してビット同期パターンが検出されている第１の状態と、所定の時間間隔で連続してビット同期パターンが検出されていない第２の状態とを区別する手段を有し、
第１の状態では、所定のタイミングでビット同期パターンを検出したときのみ、上記第１のカウンタに所定の値をプリセットすることを特徴とする、
請求項１に記載の光ディスク装置アドレス情報再生回路である。
【００１２】
本発明に係る請求項３に記載の光ディスク装置アドレス情報再生回路は、
所定の時間間隔で、第１の回数分、連続してビット同期パターンが検出されたとき上記第１の状態に遷移する手段と、
所定の時間間隔で、第２の回数分、連続してビット同期パターンが検出されないとき上記第１の状態から第２の状態に遷移する手段とを有し、
上記の第１の回数と第２の回数とは、それぞれ所定のレジスタに設定されることを特徴とする、
請求項２に記載の光ディスク装置アドレス情報再生回路である。
【００１３】
本発明に係る請求項４に記載の光ディスク装置アドレス情報再生回路は、
上記の第１の回数及び第２の回数が、
データリード動作中における値と、データライト動作中における値とに分けて設定されており、
その分けて設定されている上記の第１の回数及び第２の回数が、夫々の動作中に自動的に利用されることを特徴とする、
請求項３に記載の光ディスク装置アドレス情報再生回路である。
【００１４】
本発明に係る請求項５に記載の光ディスク装置アドレス情報再生回路は、
上記の所定のタイミングが、所定のタイミングを中心とした範囲幅として設定され、
その範囲幅がレジスタにより設定されることを特徴とする、
請求項２に記載の光ディスク装置アドレス情報再生回路である。
【００１５】
本発明に係る請求項６に記載の光ディスク装置アドレス情報再生回路は、
上記所定のタイミングの範囲幅が、
シーク動作直後における値と、シーク動作後所定の時間経過後における値とで分けて設定されており、その分けて設定されている値が自動的に利用されることを特徴とする、
請求項５に記載の光ディスク装置アドレス情報再生回路である。
【００１６】
本発明に係る請求項７に記載の光ディスク装置アドレス情報再生回路は、
上記第２のカウンタで数えて所定の時間間隔で連続してワード同期パターンが検出されている第３の状態と、所定の時間間隔で連続してワード同期パターンが検出されていない第４の状態とを区別する手段を有し、
第３の状態では、所定のタイミングでワード同期パターンを検出したときのみ、上記の第２のカウンタに所定の値をプリセットすることを特徴とする、
請求項２に記載の光ディスク装置のアドレス情報再生回路である。
【００１７】
本発明に係る請求項８に記載の光ディスク装置アドレス情報再生回路は、
所定の時間間隔で、第３の回数分、連続してワード同期パターンが検出されたとき上記第３の状態に遷移する手段と、
所定の時間間隔で、第４の回数分、連続してワード同期パターンが検出されないとき上記第３の状態から第４の状態に遷移する手段とを有し、
上記の第３の回数と第４の回数とは、それぞれ所定のレジスタに設定されることを特徴とする、
請求項７に記載の光ディスク装置アドレス情報再生回路である。
【００１８】
本発明に係る請求項９に記載の光ディスク装置アドレス情報再生回路は、
ワード同期パターンを検出するための確認パターンを複数有し、
上記第１の状態における検出確認動作にて利用される確認パターンと、上記第２の状態における検出確認動作にて利用される確認パターンとが、異なることを特徴とする、
請求項７に記載の光ディスク装置アドレス情報再生回路である。
【００１９】
本発明に係る請求項１０に記載の光ディスク記録再生装置は、
請求項１乃至請求項９のうちのいずれか一に記載の光ディスク装置アドレス情報再生回路を利用する、光ディスク記録再生装置である。
【００２０】
【発明の実施の形態】
以下において、添付の図面を参照しつつ本発明に係る好適な実施の形態を説明する。
【００２１】
図９は、本発明の好適な実施の形態における情報記録再生装置６０の例を示した概略のブロック図である。
【００２２】
情報記録再生装置６０において、半導体レーザ等の光源６１から出射された光は、光学系６６におけるカップリングレンズ６２、ビームスプリッタ６３、１／４波長板６４及び対物レンズ６５によってＤＶＤ＋ＲＷディスク６７上の記録面６７ａに集光する。記録面６７ａでの反射光は、再び光学系６６に戻り、ビームスプリッタ６３を通過し集光レンズ６８で受光素子６９上に集光して電気信号に変換される。
【００２３】
受光素子６９の出力は、通常、Ｉ／Ｖアンプ７０で電流から電圧に変換され各種演算が行われるが、電流のまま演算を行う場合もある。通常、受光素子６９及びＩ／Ｖアンプ７０は複数に分割されており、メディア面と光スポット焦点との距離を表すフォーカスエラー信号や、メディア面上にあるトラックと光スポットの位置を示すトラックエラー信号、ＤＶＤ＋ＲＷディスク６７の記録面６７ａ上に記録されている情報を検出するＲＦ信号等の演算が行われる。図９では、フォーカスエラー信号とトラックエラー信号は、サーボ回路７１において演算され、位置データから機構系７２を駆動して光スポットを目標位置に移動する。また、ＤＶＤ＋ＲＷディスク６７の記録面６７ａ上の情報は再生回路７３においてＲＦ信号に演算され、後段の信号処理（図示せず）へ送られる。なお、７４は、光源６１を駆動するためのレーザドライバである。
【００２４】
本実施の形態で使用する位相変調信号は、再生信号から得られる。該位相変調信号は、受光素子６９の分割形状によって検出方法が異なる。最も簡単な検出方法例は、トラックに沿った受光素子分割線左右の差分から得られる、トラックエラー信号の１つであるプッシュプル信号から検出する場合である。よって、以下では、サーボ回路７１から出力されたプッシュプル信号を基に復調回路７５が動作する、という前提にて説明する。また、この復調回路７５は、サーボ回路７１を介して入力されるウォブリング信号ＷＢＬが復調されて得られたデータを、出力する回路である。
【００２５】
図１０は、ＤＶＤ＋ＲＷディスク６７の構造例を示した図である。ＤＶＤ＋ＲＷディスク６７の構造について説明する。
【００２６】
図１０において、記録媒体であるＤＶＤ＋ＲＷディスク６７は、色素膜５を備えた色素型ＤＶＤ＋ＲＷディスクである。その表面上では、情報トラックとしてのグルーブトラック２と、該グルーブトラック２に再生光又は記録光としてのレーザビーム等の光ビームＢを誘導するための隣接トラックをなすランドトラック３とが、形成されている。
【００２７】
更に、ＤＶＤ＋ＲＷディスク６７は、記録された情報を再生する際に光ビームＢを反射するための金蒸着面６と、グルーブトラック２、ランドトラック３及び色素膜５を保護するための保護膜７とを備えている。
【００２８】
このような構成において、ＤＶＤ＋ＲＷディスク６７にプリ情報及び回転制御情報以外の画像情報等を記録する際には、情報記録再生装置６０は、グルーブトラック２のウォブリングを検出することによって、回転制御情報を取得してＤＶＤ＋ＲＷディスク６７を所定の回転速度で回転制御すると共に、プリ情報を取得する。情報記録再生装置６０は、該取得したプリ情報に基づいて記録光としての光ビームＢの最適出力等を設定すると共に、情報を記録すべきＤＶＤ＋ＲＷディスク６７上の位置に係るアドレス情報等を取得し、該アドレス情報に基づいて上記情報を対応する記録位置に記録する。
【００２９】
情報記録再生装置６０は、情報記録時には、光ビームＢの中心がグルーブトラック２の中心と一致するように光ビームＢを照射して、グルーブトラック２上に記録情報に対応する記録情報ビットを形成することにより、記録情報を形成する。このとき、光スポットＳＰの大きさは、その一部がグルーブトラック２だけではなくランドトラック３にも照射されるように設定される。
【００３０】
情報記録再生装置６０は、ランドトラック３及びグルーブトラック２に照射した光スポットＳＰの反射光を用いて、グルーブトラック２からウォブリング信号を検出し、更に回転制御用のクロック信号を取得する。
【００３１】
図４は、本発明の好適な実施の形態に係るアドレス情報再生回路１０の概略のブロック図である。更に図１は、該アドレス情報再生回路１０を構成するＰＭ復調回路１２の概略のブロック図である。先に、図１を参照しつつ、位相変調されたウォブリング信号からＡＤＩＰ信号を復調するＰＭ復調回路１２について説明する。
【００３２】
先ず前提として、ＤＶＤ＋ＲＷディスク６７で利用されるＡＤＩＰのフォーマット、及び変調ルールに関して述べる。図１１に示すように、ＡＤＩＰでは、８ウォブルのＡＤＩＰユニットと８５ウォブルのモノトーン・ウォブルとの合計９３ウォブルにより「１  ＡＤＩＰビット」を表すべく、規格として定められている。
【００３３】
図１２に示すように、その８ウォブルのＡＤＩＰユニットにおいては、３つのパターンのＡＤＩＰビットが存在する。
（１）ＡＤＩＰワードの切れ目を示す、ＡＤＩＰワード・シンク、
（２）ＡＤＩＰ＝０を示す、ＡＤＩＰゼロ・ビット、
（３）ＡＤＩＰ＝１を示す、ＡＤＩＰワン・ビット、
である。図１３に示されるが、ＡＤＩＰワードは、これらのＡＤＩＰビットの合計５２ビットにより表わされる。なお、そのうちビット０〜ビット２３が、アドレス情報である（図１４）。
【００３４】
さて、図１において、ＡＤＣ１４はＡＤ（アナログ・デジタル）コンバータ、ＡＣ１６はＡＣ（Ａｌｔｅｒｎａｔｉｎｇ  Ｃｕｒｒｅｎｔ；交流）結合演算器である。ここで、位相変調されたウォブリング信号（ＷＢＬ）は、ＡＤＣ１４によりサンプリングされてデジタル値に変換され、その後、ＡＣ１６によりオフセット値を取るためにＡＣ結合演算され、符号付きのデジタル値とされる。
【００３５】
ＡＣ結合演算後の信号（データ）はマルチプレクサ１８に入力する。該マルチプレクサ１８においては、ＰＭＩＮＶ信号が１の時は反転器２０による反転した値が、０の時はそのままの値が出力される。その出力された信号は乗算器２２に入力し、そこで正弦波発生器２４からの正弦波データが乗算される。なお、正弦波発生器２４は、ＲＯＭテーブルから正弦波を発生させるようなものでもよい。また、乗算器２２は、バレルシフタを使った簡易なものでもよい。
【００３６】
加算器２６は、上記乗算器２２から出力された信号と第１ラッチ回路２８から出力された信号とを加算して更に第１ラッチ回路２８に対し出力する。第１ラッチ回路２８は、ＰＭＳＵＭ信号及びＰＭＥＮ信号に応じて加算器２６からの信号をラッチする。即ち、上記乗算器２２から出力されるデータは、ＰＭＳＵＭ信号が０の時はＰＭＥＮ信号が１となるまで積分され続け、一方ＰＭＳＵＭ信号が１の時はＰＭＥＮ信号に関わらず積分され続ける。その結果、積分値が第１ラッチ回路にて形成される。
【００３７】
第２ラッチ回路３０は、ＰＭＥＮ信号に応じて第１ラッチ回路２８からの信号をラッチし、PＭＯＵＴ値として出力する。
【００３８】
図２は、図１のＰＭ復調回路１２における幾つかの箇所の信号波形の例を示したものである。図２のように、ＷＢＬＩＮ信号が正弦波発生器２４の正弦波形と同位相であれば、「乗算結果」は正の値となり、積分結果は単調に増加していく。逆に、ＷＢＬＩＮ信号が正弦波形と逆位相であれば、「乗算結果」は負の値となり、積分結果は単調に減少していく。
【００３９】
図３は、ＰＭＥＮ信号の例を示す。この例のようにＰＭＥＮ信号において、１ウォブルに１回（１クロック分）「１」を発生すれば、ＰＭＯＵＴ値は１ウォブル間のＷＢＬＩＮ信号の位相に応じて正負の値を出力する。つまり、ＰＭＯＵＴ値の符号ビットが、ＰＭ復調結果となる。
【００４０】
なお、図には示していないが、ＰＭＥＮ信号での「１」の発生タイミングは、正弦波発生器２４での正弦波位相を９０度ずらして余弦波にして乗算したとき、積分値がちょうど「０」となるようなタイミングにすればよい。
【００４１】
続いて、ＰＭ復調結果からＡＤＩＰのフォーマットに従ってＡＤＩＰ情報を再生する、本実施の形態のアドレス情報再生回路１０に関して説明する。
【００４２】
図４は、本発明の好適な実施の形態に係るアドレス情報再生回路１０の概略のブロック図である。図５及び図６は、図４の情報再生回路１０における幾つかの箇所の信号波形の相互関連例を示したものである。
【００４３】
なお、図４中のエラー訂正回路４２は、特開２００１−１７６０６９号等に説明されているものを利用すればよい。
【００４４】
ＷＢＬカウンタ５０は１ウォブル毎にカウントアップする、９３進のカウンタである。Ｔカウンタ５２は、上記ＷＢＬカウンタ５０におけるキャリー（ＣＹ）発生によりカウントをスタートし、１ウォブル毎にカウントアップし、９にてカウントストップするようなカウンタである。なお、以下の説明においてもＴカウンタ５２を１０進カウンタとしているが、１０以上カウントできればよく、特に１０進カウンタでなくてもよい。
【００４５】
ワードカウンタ４６は、ＷＢＬカウンタ５０のキャリー（ＣＹ）発生により、カウントアップする５２進のカウンタである。
【００４６】
ＰＭＯＵＴは、上記のＰＭＯＵＴ値の符号ビットである。このＰＭＯＵＴは、５２ビットのシフトレジスタ４０に入力される。そして、図５のビットサンプル信号によりシフトアップされる。なお図５において、ビットサンプル信号は、Ｔカウンタ５２の８サイクル目において発生するように設計されている。
【００４７】
上記のシフトレジスタ４０からのパラレル出力は、ＡＤＩＰＷＯＲＤとなる。
【００４８】
また、上記のＰＭＯＵＴは、ワード同期パターン検出器４４及びビット同期パターン検出器４８にも入力される。
【００４９】
ところで、上記の図１２に示されているが、ウォブリング信号ＷＢＬの８ウォブルのＡＤＩＰユニットにおいては、３つのパターンのＡＤＩＰビットが存在する。３つのパターンにおいて、ワードシンク（同期）パターンであるかビットシンク（同期）パターンであるかは、ウォブル０〜３の４サイクルにて示される。ＡＤＩＰデータビットパターンのうち「ＡＤＩＰ＝０」であるか「ＡＤＩＰ＝１」であるかは、ウォブル４〜７の４サイクルにて示される。ＡＤＩＰデータビットパターンにおいて「００１１」が「ＡＤＩＰ＝０」となるパターンであり、「１１００」が「ＡＤＩＰ＝１」となるパターンである。ここで、制御回路５４は、ＡＤＩＰデータビットパターン部分の後半２ウォブル間、すなわちＴカウンタ５２におけるウォブル６及びウォブル７の間、マルチプレクサ１８が反転器２０により反転された信号を乗算器２２に出力するように、制御信号ＰＭＩＮＶを形成する。ＰＭＯＵＴにおいて、ＡＤＩＰゼロ・ビットとＡＤＩＰワン・ビットとの差をより明瞭にするためである。
【００５０】
ビット同期パターン検出器４８は、図５に示すように先行する０も含めて、
・“００００１０００”
とのパターン一致を検出する。ビット同期パターンとして先行する０も含めてパターン一致を検出する理由は、ノイズ等により誤って１に化けた場合にビット同期パターンであると誤認される確率を減らすためである。なお、ＷＢＬカウンタ５０は、ビット同期パターン検出器４８の出力により、特定の値にプリセットされる。図５では「０５」にセットされている。
【００５１】
ワード同期パターン検出器４８は、図６に示すように先行する０も含めて、
・“００００１１１１”
とのパターン一致を検出する。ワード同期パターンとして先行する０も含めてパターン一致を検出するのは、ＰＭＯＵＴにおける「ＡＤＩＰ＝１」との区別を明確にするためである。即ち、ＡＤＩＰデータビットパターン期間、即ちＴカウンタ５２のサイクル４〜７期間のデータ“００１１”及び“１１００”において、サイクル６〜７を反転させて“００００”及び“１１１１”を作成し更に積分しているため、特に「ＡＤＩＰ＝１」に係るＰＭＯＵＴにおいては“１０００１１１１”が出現し（図５；ＡＤＩＰ参照）、先行する０も含めなければ、判別が不可能になるからである。
【００５２】
ワードカウンタ４６は、ワード同期パターン検出器４４の出力により、「０」にプリセットされる。ワードカウンタ４６の内容を基準にして、セクタ（ワード）の切れ目を示す同期信号（セクタシンク）が作成される（図６参照）。
【００５３】
ＰＭ復調回路１２で使用するＰＭＳＵＭ信号、及びＰＭＩＮＶ信号は、Ｔカウンタ５２により図５に示すように、即ちＰＭＳＵＭ信号ではサイクル４〜７において「１」となり、ＰＭＩＮＶ信号ではサイクル６〜７において「１」となるように、設定されている。また、シフトレジスタ４０へのビットサンプル信号も、Ｔカウンタ５２により図５に示すように、即ちサイクル８において「１」となるように、設定されている。
【００５４】
図４の制御回路５４中のステートマシンでは、図７及び図８に示すフローチャートのような制御が実施される。先ず、図７はビット同期をとるための制御に係るフローチャートである。
【００５５】
まずステートマシンはＳＥＲＣＨ状態（ステップＳ０２）、即ちビット同期パターンを隈なく探す状態に入っており（ステップＳ０４）、ＢＳＹＮＣ（ビット同期パターン）が検出されるまで上記状態が継続される。ＢＳＹＮＣが発生すると、ステップＳ０６において、ＢＣ（つまり、ＷＢＬカウンタ５０）を「０５」にプリセットする。同時に、ワークカウンタであるＮカウンタも、ゼロクリアする（ステップＳ０６）。
【００５６】
次に、ＢＣ＝４になるまで待ち（ステップＳ０８、Ｓ１０）、そしてＢＣ＝４の位置において（ステップＳ１０）ＢＳＹＮＣが発生していれば（ステップＳ１２）、Ｎカウンタを１だけカウントアップする（ステップＳ１４）。
【００５７】
ここで、Ｎカウンタの値が、予め設定した「Ｎ１」に達していれば（ステップＳ１６）、相当に安定したビット同期が繰り返し得られていると考えられる。そこで、一旦そのＮカウンタがゼロクリアされ（ステップＳ１８）、ＰＲＯＴＥＣＴ状態に遷移する（ステップＳ２０）。一方、ステップＳ１２にてＢＳＹＮＣが発生しなければ、再びＳＥＲＣＨ状態（ステップＳ０２）に戻る。
【００５８】
一旦、上記のＰＲＯＴＥＣＴ状態になれば、ＢＣ＝４の前後の範囲（ステップＳ２２、ステップＳ３０、ステップＳ３６）で、ＢＳＹＮＣが発生するかをチェックする（ステップＳ２４、ステップＳ３２、ステップＳ３８）。そのように前後の範囲までを考慮に入れるのは、一旦ＰＲＯＴＥＣＴ状態になった後は１ウォブルまでの同期のずれにつき、自動的にずれと判断して同期を取り直すためである。それら範囲にてＢＳＹＮＣが発生していれば、ＢＣ（つまり、ＷＢＬカウンタ５０）を「０５」にプリセットする。続いて、ＢＣ＝４の前後の範囲で、ＢＳＹＮＣが発生するかのチェックを繰り返す。
【００５９】
なお、図７では、「ＢＣ＝４の前後の範囲」として、
ＢＣ＝３、４、５
つまり、ＢＣ＝４±１の範囲としている。この範囲幅は、所定のレジスタへのデータ設定などにより変更し得るようにしてもよい。更に、一般にシーク直後のように回転が安定していない状態では、範囲幅がやや広く設定されているのがよい。回転が安定してくれば、範囲幅が狭く設定されているのがよい。ノイズ等の影響で誤同期することが防がれるからである。
【００６０】
ＢＣ＝４の前後の範囲（ステップＳ２２、ステップＳ３０、ステップＳ３６）で、ＢＳＹＮＣが発生しなければ、Ｎカウンタを１だけカウントアップする（ステップＳ４０）。Ｎカウンタが予め設定した「Ｎ２」に達していれば（ステップＳ４２）ＳＥＲＣＨ状態にもどる。「Ｎ２」に達していなければ、図７のとおりＰＲＯＴＥＣＴ状態にて再度ＢＣ＝４の前後の範囲でＢＳＹＮＣが発生するかをチェックする（ステップＳ２０〜）。
【００６１】
続いて、図８はワード同期をとるための制御に係るフローチャートである。動作は図７とほぼ同様である。
【００６２】
まずステートマシンはＳＥＲＣＨ状態（ステップＳ５２）、即ちワード同期パターンを隈なく探す状態に入っており（ステップＳ５４）、ＷＳＹＮＣ（ワード同期パターン）が検出されるまで上記状態が継続される。ＷＳＹＮＣが発生すると、ステップＳ５６において、ＷＣ（つまり、ワードカウンタ４６）を「０」にプリセットする。同時に、ワークカウンタであるＭカウンタも、ゼロクリアする（ステップＳ５６）。
【００６３】
次に、ＷＣ＝０且つＢＣ＝４になるまで待ち（ステップＳ５８、Ｓ６０）、そしてＷＣ＝０且つＢＣ＝４の状態において（ステップＳ６０）ＷＳＹＮＣが発生していれば（ステップＳ６２）、Ｍカウンタを１だけカウントアップする（ステップＳ６４）。
【００６４】
ここで、Ｍカウンタの値が、予め設定した「Ｍ１」に達していれば（ステップＳ６６）、相当に安定したワード同期が繰り返し得られていると考えられる。そこで、一旦そのＭカウンタがゼロクリアされ（ステップＳ６８）、ＰＲＯＴＥＣＴ状態に遷移する（ステップＳ７０）。一方、ステップＳ５２にてＷＳＹＮＣが発生しなければ、再びＳＥＲＣＨ状態（ステップＳ５２）に戻る。
【００６５】
一旦、上記のＰＲＯＴＥＣＴ状態になれば、ＷＣ＝０且つＢＣ＝４の状態（ステップＳ７２）で、ＷＢＳＹＮＣが発生するかをチェックする（ステップＳ７４）。
【００６６】
図８のフローチャートでは、ＳＥＲＣＨ状態の「ＷＳＹＮＣ」（ワード同期パターン）と、ＰＲＯＴＥＣＴ状態の「ＷＢＳＹＮＣ」とを、区別して表現しているが、同じであってもよい。つまり、どちらもワード同期パターンなのであるが、ＷＢＳＹＮＣは、図７におけるビット同期パターンのＰＲＯＴＥＣＴ状態の時に対するＷＳＹＮＣという意味を表している。
【００６７】
さて、ステップＳ７４にて、ＷＢＳＹＮＣが発生していれば、ＷＣ（つまり、ワードカウンタ４６）を「０」にプリセットする。ＷＢＳＹＮＣが発生しなければ、Ｍカウンタを１だけカウントアップする（ステップＳ９０）。Ｍカウンタが予め設定した「Ｍ２」に達していれば（ステップＳ９２）ＳＥＲＣＨ状態にもどる。「Ｍ２」に達していなければ、図８のとおりＰＲＯＴＥＣＴ状態にて、ＷＣ＝０且つＢＣ＝４の状態（ステップＳ７２）で、ＷＢＳＹＮＣが発生するかをチェックする（ステップＳ７０〜）。
【００６８】
上記においてはワード同期パターンを“００００１１１１”としたが、ビット同期がとれている状況においては、ワード同期パターンを単に“１１１１”とすることができる。というのは、上述のワード同期パターンの中の“１１１１”の位置と「ＡＤＩＰ＝１」を表す“１０００１１１１”の中の“１１１１”の位置とは、そもそも４ウォブル分（即ち、ウォブル０〜３とウォブル４〜７との差異分）離れているのであるから、ビット同期が取れていることが確証されている状況においては、これらが混同される事態は想定され得ない、ということである。更に、ワード同期パターンを単に“１１１１”とすることにより、既述のワード同期パターン“００００１１１１”であればノイズ等が原因でワード同期パターンの検出が不成功に終ってしまうケースの一部を拾い上げるべく検出することができるため、寧ろワード同期パターンを“１１１１”とすることの方が好ましいとも言える。
【００６９】
【発明の効果】
本発明に係る請求項１に記載の光ディスク装置アドレス情報再生回路を利用することにより、次のような効果を奏することができる。ＡＤＩＰのビット同期は、ビット同期パターンの検出とＷＢＬカウンタで、ＡＤＩＰのワード同期は、ワード同期パターンの検出とワードカウンタで、それぞれ独立して同期をとるため、旧来のビット同期が確立してからワード同期をとるというような機構を利用するよりも、アドレス情報を得るまでの時間をより短縮できる。加えて、それぞれ独立して制御できるため、比較的簡単な構成であるにもかかわらず、きめこまかい制御が可能であり、よって高信頼の同期化回路を実現できる。
【００７０】
本発明に係る請求項２に記載の光ディスク装置アドレス情報再生回路を利用することにより、次のような効果を奏することができる。所定の時間間隔（９３ウォブル）で連続してビット同期パターンを検出した後は、所定のタイミング（例えば３〜５ウォブル目）のみを窓とする窓検出を行なえるので、ノイズ等でビット同期パターンを誤検出して誤同期する確率を低減できる。
【００７１】
本発明に係る請求項３に記載の光ディスク装置アドレス情報再生回路を利用することにより、次のような効果を奏することができる。第１の状態（ビット同期ＰＲＯＴＥＣＴ）と第２の状態（ビット同期ＳＥＲＣＨ）間の遷移条件をＣＰＵなどの設定で変更できるので、きめこまかい制御が可能で、状況に応じて最適のアドレス情報再生回路を実現できる。
【００７２】
本発明に係る請求項４に記載の光ディスク装置アドレス情報再生回路を利用することにより、次のような効果を奏することができる。一般にリード動作では、データリードがスタートするまでのアクセスタイムが高速であることが要求される。ライト動作では、ライトしたデータが間違いなく要求されたアドレスへライトされることの方が重要である。本発明のアドレス情報再生回路は、第１の状態（ビット同期ＰＲＯＴＥＣＴ）と第２の状態（ビット同期ＳＥＲＣＨ）間の遷移において、例えば、リード動作中では自動的に速くＰＲＯＴＥＣＴ状態になるように、ライト動作では安全のためやや時間を掛けて（即ち検出回数を増やして）ＰＲＯＴＥＣＴ状態になるように、調整することができる。よって使いやすくて高信頼のアドレス情報再生回路を実現できる。
【００７３】
本発明に係る請求項５に記載の光ディスク装置アドレス情報再生回路を利用することにより、次のような効果を奏することができる。本発明のアドレス情報再生回路は、第１の状態（ビット同期ＰＲＯＴＥＣＴ）になった後、窓検出の窓幅をＣＰＵなどの設定で変更できるので、きめこまかい制御が可能で、状況に応じて最適のアドレス情報再生回路を実現できる。
【００７４】
本発明に係る請求項６に記載の光ディスク装置アドレス情報再生回路を利用することにより、次のような効果を奏することができる。ＣＬＶで制御されるドライブ装置（ＤＶＤ＋ＲＷにはＣＬＶとＣＡＶの二つの方式がある）では、一般にシーク直後は回転が安定しておらず、従って、ノイズ等の影響で同期パターンが化けて誤同期を起こす可能性よりも、回転変動で同期が取れなくなる可能性の方が高い。本発明のアドレス情報再生回路は、シーク直後は、例えば、窓検出の窓幅を広くすることができ、よって、同期が取れなくなることが防がれ、更に一定時間後は、通常の窓幅に自動的に戻すことができるので、使いやすく高信頼のアドレス情報再生回路を実現できる。
【００７５】
本発明に係る請求項７に記載の光ディスク装置アドレス情報再生回路を利用することにより、次のような効果を奏することができる。本発明のアドレス情報再生回路は、所定の時間間隔（５２ビットかつ９３ウォブル）で連続してワード同期パターンを検出した後は、所定のタイミング（例えば、０ビット目かつ４ウォブル目）のみを窓とする窓検出をできるので、ノイズ等でワード同期パターンを誤検出して誤同期する確率を低減できる。なお、ワード同期検出は、ビット同期により同期ずれは取り除かれるので、ビット同期のように窓幅を広げる必要はない。
【００７６】
本発明に係る請求項８に記載の光ディスク装置アドレス情報再生回路を利用することにより、次のような効果を奏することができる。本発明のアドレス情報再生回路は、第３の状態（ワード同期ＰＲＯＴＥＣＴ）と第４の状態（ワード同期ＳＥＲＣＨ）間の遷移条件をＣＰＵなどの設定で変更できるので、きめこまかい制御が可能で、状況に応じて最適のアドレス情報再生回路を実現できる。
【００７７】
本発明に係る請求項９に記載の光ディスク装置アドレス情報再生回路を利用することにより、次のような効果を奏することができる。ワード同期パターンを常に“００００１１１１”で検出していると、ノイズ等が多い場合にワード同期パターンを検出できにくく、ＳＥＲＣＨ状態に戻ってしまう頻度が増える可能性がある。ＳＥＲＣＨ状態では窓検出を行なわないため、ワード同期パターンを誤検出する可能性を減少させるのは無理である。本発明のアドレス情報再生回路にて、ビット同期状態がＰＲＯＴＥＣＴである場合、前述したように“１１１１”をワード同期パターンとすれば、誤検出の可能性を低減できる。
【００７８】
本発明に係る請求項９に記載の光ディスク記録再生装置を利用することにより、ＤＶＤ+ＲＷ方式におけるＡＤＩＰのアドレス情報を迅速且つ正確に再生し得る。
【図面の簡単な説明】
【図１】  本発明の好適な実施の形態に係るアドレス情報再生回路を構成するＰＭ復調回路の概略のブロック図である。
【図２】  図１のＰＭ復調回路における幾つかの箇所の信号波形の例を示す。
【図３】  図１のＰＭ復調回路におけるＰMＥN信号の例を示す。
【図４】  本発明の好適な実施の形態に係るアドレス情報再生回路の概略のブロック図である。
【図５】  図４の情報再生回路における幾つかの箇所の信号波形の相互関連例（１）を示す。
【図６】  図４の情報再生回路における幾つかの箇所の信号波形の相互関連例（２）を示す。
【図７】  図４の制御回路中のステートマシンで実施される、ビット同期をとるための制御に係るフローチャートである。
【図８】  図４の制御回路中のステートマシンで実施される、ワード同期をとるための制御に係るフローチャートである。
【図９】  本発明の好適な実施の形態における情報記録再生装置の例を示した概略のブロック図である。
【図１０】  ＤＶＤ＋ＲＷディスクの構造例の部分拡大斜視図である。
【図１１】  １ＡＤＩＰビットとウォブルの関係を示す。
【図１２】  ＡＤＩＰの変調のルールを示す。
【図１３】  ＡＤＩＰワードの構成（１）を示す。
【図１４】  ＡＤＩＰワードの構成（２）を示す。
【符号の説明】
２・・・グルーブトラック、１０・・・アドレス情報再生回路、１２・・・ＰＭ復調回路、１４・・・ＡＤコンバータ、１６・・・ＡＣ結合演算器、１８・・・マルチプレクサ、２０・・・反転器、２２・・・乗算器、２４・・・正弦波発生器、２６・・・加算器、２８・・・第１ラッチ回路、３０・・・第２ラッチ回路、４０・・・シフトレジスタ、４２・・・エラー訂正回路、４４・・・ワード同期パターン検出器、４６・・・ワードカウンタ、４８・・・ビット同期パターン検出器、５０・・・ＷＢＬカウンタ、５２・・・Ｔカウンタ、５４・・・制御回路、６０・・・情報記録再生装置、６７・・・ＤＶＤ＋ＲＷディスク
【図１】
0004235377.tif 000002
【図２】
0004235377.tif 000003
【図３】
0004235377.tif 000004
【図４】
0004235377.tif 000005
【図５】
0004235377.tif 000006
【図６】
0004235377.tif 000007
【図７】
0004235377.tif 000008
【図８】
0004235377.tif 000009
【図９】
0004235377.tif 000010
【図１０】
0004235377.tif 000011
【図１１】
0004235377.tif 000012
【図１２】
0004235377.tif 000013
【図１３】
0004235377.tif 000014
【図１４】
0004235377.tif 000015